(57)【特許請求の範囲】
【請求項１】
打設中のコンクリートの静電容量をコンクリート型枠の外側から測定し、打設中のコンクリートの欠陥の有無を検出する打設中のコンクリートの欠陥検出・充填度合い測定装置であって、
コンクリート型枠への押し当て面を曲面とした一方の電極と、
この一方の電極が一方の端面中間部に配置されるとともに、一方の端面中間部の外側に周縁部を備える円筒状の絶縁体と、
この絶縁体の他方の端面に、前記一方の電極と対向配置し、コンクリート型枠に接しない他方の電極と、を有する検出部を備え、
前記絶縁体の一方の端面の周縁部により、前記コンクリート型枠への押し当て時において検出部の傾きすぎ検知機能を発揮させる構成としたことを特徴とする打設中のコンクリートの欠陥検出・充填度合い測定装置。
【請求項２】
打設中のコンクリートの静電容量をコンクリート型枠の外側から測定し、打設中のコンクリートの欠陥の有無を検出する打設中のコンクリートの欠陥検出・充填度合い測定装置であって、
コンクリート型枠への押し当て面を曲面とした＋電極と、この＋電極を一方の端面中間部に配置した円筒状の絶縁体の他方の端面に、前記＋電極と対向配置した−電極とを有する検出部と、
該検出部の検出信号から前記＋電極、−電極間の静電容量を求める測定回路と、
該測定回路の測定信号を基に前記打設中のコンクリートの充填度合いの適否を判定する演算回路と、
演算回路の演算結果を表示する表示部と、
を有することを特徴とする打設中のコンクリートの欠陥検出・充填度合い測定装置。
【請求項３】
打設中のコンクリートの静電容量をコンクリート型枠の外側から測定し、打設中のコンクリートの欠陥の有無を検出する打設中のコンクリートの欠陥検出・充填度合い測定装置であって、
コンクリート型枠への押し当て面を曲面とした＋電極と、この＋電極を一方の端面中間部に配置した円筒状の絶縁体の他方の端面に、前記＋電極と対向配置した−電極とを有する深部測定用の検出部と、
コンクリート型枠への押し当て面を曲面とした＋電極と、この＋電極を一方の端面中間部に配置した円筒状の絶縁体の他方の端面に、前記＋電極と対向配置した−電極とを有し、前記＋電極、−電極間の間隔を深部測定用の検出部よりも小とした近傍部測定用の検出部と、
を把持体の両端に備えたことを特徴とする打設中のコンクリートの欠陥検出・充填度合い測定装置。
【請求項４】
打設中のコンクリートの静電容量をコンクリート型枠の外側から測定し、打設中のコンクリートの欠陥の有無を検出する打設中のコンクリートの欠陥検出・充填度合い測定装置であって、
コンクリート型枠への押し当て面を曲面とした＋電極と、この＋電極を一方の端面中間部に配置した円筒状の絶縁体の他方の端面に、前記＋電極と対向配置した−電極とを有する深部測定用の検出部と、
コンクリート型枠への押し当て面を曲面とした＋電極と、この＋電極を一方の端面中間部に配置した円筒状の絶縁体の他方の端面に、前記＋電極と対向配置した−電極とを有し、前記＋電極、−電極間の間隔を深部測定用の検出部よりも小とした近傍部測定用の検出部と、
を把持体の両端に備えるとともに、
前記深部測定用の検出部の検出信号から前記＋電極、−電極間の静電容量を求める深部測定回路と、
前記近傍部測定用の検出部の検出信号から前記＋電極、−電極間の静電容量を求める近傍部測定回路と、
前記深部測定回路、近傍部測定回路の各測定信号を切り替え方式で演算し、前記打設中のコンクリートの深部、近傍部の充填度合いの適否を判定する演算回路と、
演算回路の演算結果を表示する表示部と、
を有することを特徴とする打設中のコンクリートの欠陥検出・充填度合い測定装置。
【請求項５】
打設中のコンクリートの静電容量をコンクリート型枠の外側から測定し、打設中のコンクリートの欠陥の有無を検出する打設中のコンクリートの欠陥検出・充填度合い測定装置であって、
コンクリート型枠への押し当て面を曲面とした＋電極と、この＋電極を一方の端面中間部に配置した円筒状の絶縁体の他方の端面に、前記＋電極と対向配置した−電極とを有する深部測定用の検出部と、
コンクリート型枠への押し当て面を曲面とした＋電極と、この＋電極を一方の端面中間部に配置した円筒状の絶縁体の他方の端面に、前記＋電極と対向配置した−電極とを有し、前記＋電極、−電極間の間隔を深部測定用の検出部よりも小とした近傍部測定用の検出部と、
を中間部を９０度屈曲した把持体の両端に備えるとともに、
前記深部測定用の検出部の検出信号から前記＋電極、−電極間の静電容量を求める深部測定回路と、
前記近傍部測定用の検出部の検出信号から前記＋電極、−電極間の静電容量を求める近傍部測定回路と、
前記深部測定回路、近傍部測定回路の各測定信号を切り替え方式で演算し、前記打設中のコンクリートの深部、近傍部の充填度合いの適否を判定する演算回路と、
演算回路の演算結果を表示する表示部と、
を有することを特徴とする打設中のコンクリートの欠陥検出・充填度合い測定装置。
【請求項６】
打設中のコンクリートの静電容量をコンクリート型枠の外側から測定し、打設中のコンクリートの欠陥の有無を検出する打設中のコンクリートの欠陥検出・充填度合い測定装置であって、
コンクリート型枠への押し当て面を曲面とした＋電極と、この＋電極を一方の端面中間部に配置した円筒状の絶縁体の他方の端面に、前記＋電極と対向配置した−電極とを有する深部測定用の検出部と、
コンクリート型枠への押し当て面を曲面とした＋電極と、この＋電極を一方の端面中間部に配置した円筒状の絶縁体の他方の端面に、前記＋電極と対向配置した−電極とを有し、前記＋電極、−電極間の間隔を深部測定用の検出部よりも小とした近傍部測定用の検出部と、
を把持体に二股分岐で備えたことを特徴とする打設中のコンクリートの欠陥検出・充填度合い測定装置。
【請求項７】
打設中のコンクリートの静電容量をコンクリート型枠の外側から測定し、打設中のコンクリートの欠陥の有無を検出する打設中のコンクリートの欠陥検出・充填度合い測定装置であって、
コンクリート型枠への押し当て面を曲面とした＋電極と、この＋電極を一方の端面中間部に配置した円筒状の絶縁体の他方の端面に、前記＋電極と対向配置した−電極とを有する深部測定用の検出部と、
コンクリート型枠への押し当て面を曲面とした＋電極と、この＋電極を一方の端面中間部に配置した円筒状の絶縁体の他方の端面に、前記＋電極と対向配置した−電極とを有し、前記＋電極、−電極間の間隔を深部測定用の検出部よりも小とした近傍部測定用の検出部と、
を把持体に二股分岐で備えるとともに、
前記深部測定用の検出部の検出信号から前記＋電極、−電極間の静電容量を求める深部測定回路と、
前記近傍部測定用の検出部の検出信号から前記＋電極、−電極間の静電容量を求める近傍部測定回路と、
前記深部測定回路、近傍部測定回路の各測定信号を切り替え方式で演算し、前記打設中のコンクリートの深部、近傍部の充填度合いの適否を判定する演算回路と、
演算回路の演算結果を表示する表示部と、
を有することを特徴とする打設中のコンクリートの欠陥検出・充填度合い測定装置。
【請求項８】
打設中のコンクリートの静電容量をコンクリート型枠の外側から測定し、打設中のコンクリートの欠陥の有無を検出する打設中のコンクリートの欠陥検出・充填度合い測定装置であって、
コンクリート型枠への押し当て面を曲面とした＋電極と、この＋電極を一方の端面中間部に配置した円筒状の絶縁体の他方の端面に、前記＋電極と対向配置した深部測定用の−電極と、
前記絶縁体の内部に前記−電極より＋電極との間隔を小とした状態で配置した近傍部測定用の−電極と、
を有する検出部を備えたことを特徴とする打設中のコンクリートの欠陥検出・充填度合い測定装置。
【請求項９】
打設中のコンクリートの静電容量をコンクリート型枠の外側から測定し、打設中のコンクリートの欠陥の有無を検出する打設中のコンクリートの欠陥検出・充填度合い測定装置であって、
コンクリート型枠への押し当て面を曲面とした＋電極と、この＋電極を一方の端面中間部に配置した円筒状の絶縁体の他方の端面に、前記＋電極と対向配置した深部測定用の−電極と、前記絶縁体の内部に前記−電極より＋電極との間隔を小とした状態で配置した近傍部測定用の−電極とを有する検出部と、
前記＋電極、深部測定用の−電極間の検出信号からその静電容量を求める深部測定回路と、
前記＋電極、近傍部測定用の−電極間の検出信号からその静電容量を求める近傍部測定回路と、
前記深部測定回路、近傍部測定回路の各測定信号を切り替え方式で演算し、前記測定対象物の深部、近傍部の充填度合いの適否を判定する演算回路と、
演算回路の演算結果を表示する表示部と、
を有することを特徴とする打設中のコンクリートの欠陥検出・充填度合い測定装置。
【請求項１０】
打設中のコンクリートの静電容量をコンクリート型枠の外側から測定し、打設中のコンクリートの欠陥の有無を検出する打設中のコンクリートの欠陥検出・充填度合い測定装置であって、
コンクリート型枠への押し当て面を曲面とした＋電極と、この＋電極を一方の端面中間部に配置した円筒状の絶縁体の他方の端面に、前記＋電極と対向配置した−電極とを有する近傍部測定用の検出部を備えた把持体と、
前記近傍部測定用の検出部に対して装脱可能に配置したコンクリート型枠への押し当て面を曲面とし、装着状態で前記−電極と対向配置となる＋電極を有する深部測定用の検出部と、
を備えたことを特徴とする打設中のコンクリートの欠陥検出・充填度合い測定装置。
【請求項１１】
打設中のコンクリートの静電容量をコンクリート型枠の外側から測定し、打設中のコンクリートの欠陥の有無を検出する打設中のコンクリートの欠陥検出・充填度合い測定装置であって、
コンクリート型枠への押し当て面を曲面とした＋電極と、この＋電極を一方の端面中間部に配置した円筒状の絶縁体の他方の端面に、前記＋電極と対向配置した−電極とを有する近傍部測定用の検出部を備えた把持体と、
該近傍部測定用の検出部に対して装脱可能に配置したコンクリート型枠への押し当て面を曲面とし、装着状態で前記−電極と対向配置となる＋電極を有する深部測定用の検出部と、
を備えるとともに、
前記深部測定用の検出部を装着した状態での前記＋電極、前記−電極間の検出信号からその静電容量を求める深部測定回路と、
前記深部測定用の検出部を外した状態での前記近傍部測定用における検出部の＋電極、−電極間の検出信号からその静電容量を求める近傍部測定回路と、
前記深部測定回路、近傍部測定回路の各測定信号を切り替え方式で演算し、前記打設中のコンクリートの深部、近傍部の充填度合いの適否を判定する演算回路と、
演算回路の演算結果を表示する表示部と、
を有することを特徴とする打設中のコンクリートの欠陥検出・充填度合い測定装置。
【請求項１２】
打設中のコンクリートの静電容量をコンクリート型枠の外側から測定し、打設中のコンクリートの欠陥の有無を検出する打設中のコンクリートの欠陥検出・充填度合い測定装置であって、
コンクリート型枠への押し当て面を曲面とした＋電極と、この＋電極に対して押し当て方向の間隔調整可能に配置した円筒状の絶縁体及び前記＋電極と対向する−電極とを有する検出部を備えたことを特徴とする打設中のコンクリートの欠陥検出・充填度合い測定装置。
【請求項１３】
打設中のコンクリートの静電容量をコンクリート型枠の外側から測定し、打設中のコンクリートの欠陥の有無を検出する打設中のコンクリートの欠陥検出・充填度合い測定装置であって、
コンクリート型枠への押し当て面を曲面とした＋電極と、この＋電極に対して押し当て方向の間隔調整可能に配置した円筒状の絶縁体及び前記＋電極と対向する−電極とを有する検出部と、
この検出部における前記＋電極、−電極間の間隔が大きい場合の検出信号から打設中のコンクリートの深部測定に対応する静電容量を求め、前記＋電極、−電極間の間隔が小の場合の検出信号から測定対象物の近傍部測定に対応する静電容量を求める測定回路と、
測定回路の測定信号を基に前記打設中のコンクリートの深部、近傍部の各充填度合いの適否を判定する演算回路と、
演算回路の演算結果を表示する表示部と、
を有することを特徴とする打設中のコンクリートの欠陥検出・充填度合い測定装置。
【請求項１４】
請求項３乃至１３に記載した打設中のコンクリートの欠陥検出・充填度合い測定装置のいずれかを用いた打設中のコンクリートの欠陥検出・充填度合い測定方法であって、
深部測定用の検出部と近傍部測定用の検出部をコンクリート型枠に押し当ててコンクリートの静電容量を同時または交互に測定し、深部測定用の検出部で得た静電容量から、近傍部測定用の検出部で得た静電容量を差し引いた静電容量値が、予め定めた基準値と比較して小さい場合に充填欠陥が有りと判定することを特徴とする打設中のコンクリートの欠陥検出・充填度合い測定方法。
【発明の詳細な説明】
【技術分野】
【０００１】
本発明は、打設中のコンクリートの欠陥検出装置に関し、詳しくは、打設中のコンクリートの欠陥の有無をコンクリート型枠の外側から簡略に検出可能な打設中のコンクリートの欠陥検出・充填度合い測定装置及び該欠陥検出・充填度合い測定方法に関するものである。
【背景技術】
【０００２】
施工現場等における打設中のコンクリートは、その充填度合いにより強度・外観といった品質が左右される。
コンクリートを所要の箇所に打設し建造物等を構築する場合、打設後のコンクリートが適切に充填されていないような場合、外観が良好で長期間にわたって品質を保障できる建造物等を構築することができない。このため、コンクリートの施工現場等では、充填度合いの適否という欠陥検出を速やかに行うことが必要となる。
【０００３】
打設中のコンクリートのような建築材料は、その含有水分の多少により品質が左右されることから、コンクリートを所要の箇所に打設し建造物等を構築する場合、打設後のコンクリートの水分が多すぎたり、少なすぎたりすると仕上げを適切に行い、高品質の建造物等を構築することができない。このため、コンクリートの施工現場等では、その含有水分の適否等の欠陥検出を速やかに行うことが必要となる。この見地から、測定対象物の表面から押し当てるタイプの水分計が従来存在する。
測定対象物の表面から押し当てるタイプの上記水分計は、測定対象物の内部に埋め込んだり、測定対象物を両側から挟み込むタイプに比べると、測定面さえ露出していれば測定可能であるため、例えばコンクリートの施工現場等ではより実用的である。
【０００４】
また、施工現場等において上述したようなケースで従来の水分計を使用する場合、全体の水分だけではなく、部分毎に水分を知らなければならないこともある。従って、測定対象物の深さ方向の水分分布をおおよそ判断することも必要となる。
【０００５】
ところで、測定対象物の水分の測定には、従来から高周波式水分計が使われてきた。これは水分の増減にしたがって変化する電気静電容量を、これに流れる高周波電流の多少を測定することによって測定し水分を算出するものである。
【０００６】
図２１、図２２に示すように、従来からある水分計１００は、絶縁体１０１により間隔ａをもって平行配置に支持した２本の長さｂの棒状の電極１０２、１０３を、測定対象物１１０の測定面１１１に押し当て、両電極１０２、１０３間の電気静電容量を測定して測定対象物１１０の含有水分を算出するように構成したものである。
【０００７】
ところが、このような従来の電極構造では、測定面１１１が平坦でない場合には電極１０２、１０３の一部が測定面１１１から浮いて（非接触となって）しまう。この結果、電極１０２、１０３から測定面１１１への高周波電流の流れを阻害し、測定誤差を生じることになる。
【０００８】
従来の電極構造において、電極１０２、１０３間の間隔ａを小さくすれば、浮きにくくなるが、間隔ａが小さいことから水分変化に対する静電容量変化が小さくなるため測定回路の不安定性の影響を受け、安定した測定ができない。
【０００９】
次に、測定対象物１１０である木材について考察すると、図２３に示すように、電極１０２、１０３を測定対象物１１０である木材の木目に対して平行に押し当てて測定した場合と、図２４に示すように、木材の木目に対して直角に押し当てて測定した場合とでは、同じ領域を測定したときでも、これらの電気静電容量は異なる。従って、図２１に示すような水分計１００の電極構造では押し当て角度によって、測定結果が異なってしまうという不都合が生じる。
【００１０】
更に、図２１に示すような水分計１００の場合、絶縁体１０１の一面に電極１０２、１０３を平行配置に取り付けた構造であるため、測定範囲が画一的であり、測定対象物１１０の深さ方向に関して測定深度を変更して測定するということは不可能である。
【００１１】
特許文献１には、構造物に打設するコンクリート域にモルタルの静電容量を測定する電極板を装備した検知装置を挿入し、コンクリートの静電容量を測定して、打設するコンクリートの単位水量の適否を判定するように構成したコンクリートの品質試験方法と検知装置が提案されている。
【００１２】
しかし、この特許文献１のコンクリートの品質試験方法の場合も、測定範囲が画一的で打設中のコンクリートに対する測定深度を変更して品質試験を行うようには構成されていない。
【特許文献１】特開２００４−７７４５４号公報
【発明の開示】
【発明が解決しようとする課題】
【００１３】
解決しようとする問題点は、打設中のコンクリートの欠陥の有無をコンクリート型枠へ電極を押し当てて検出する場合に、コンクリート型枠に対する電極の押し当て角度に関する許容度が有り、且つ、測定深度を変更して行う測定も、可能な斬新な構成の打設中のコンクリートの欠陥検出・充填度合い測定装置及び該欠陥検出・充填度合い測定方法が従来存在しない点である。
【課題を解決するための手段】
【００１４】
本発明は、打設中のコンクリートの静電容量をコンクリート型枠の外側から測定し、打設中のコンクリートの欠陥の有無を検出する打設中のコンクリートの欠陥検出・充填度合い測定装置であって、コンクリート型枠への押し当て面を曲面とした一方の電極と、この一方の電極が一方の端面中間部に配置されるとともに、一方の端面中間部の外側に周縁部を備える円筒状の絶縁体と、この絶縁体の他方の端面に、前記一方の電極と対向配置し、コンクリート型枠に接しない他方の電極と、を有する検出部を備え、前記絶縁体の一方の端面の周縁部により、前記コンクリート型枠への押し当て時において検出部の傾きすぎ検知機能を発揮させる構成としたことを最も主要な特徴とする。
【発明の効果】
【００１５】
本発明によれば、以下の効果を奏する。
請求項１記載の発明によれば、コンクリート型枠への押し当て面を曲面とした一方の電極と、この一方の電極を一方の端面中間部に配置した円筒状の絶縁体の他方の端面に、前記一方の電極と対向配置した他方の電極とを有する検出部を備え、この検出部の検出信号から前記一方の電極、他方の電極間の静電容量を求め、更に打設中のコンクリートの充填度合いを求めて表示するように構成したものであるから、コンクリート型枠に対する一方の電極の押し当て角度に関する許容度を有しつつ打設中のコンクリートの充填度合いを精度よく測定し、その欠陥の有無を的確に検出できる。
請求項２記載の発明によれば、コンクリート型枠への押し当て面を曲面とした＋電極と、この＋電極を一方の端面中間部に配置した円筒状の絶縁体の他方の端面に、前記＋電極と対向配置した−電極とを有する検出部を備え、この検出部の検出信号から前記＋電極、−電極間の静電容量を求め、更に打設中のコンクリートの充填度合いを求めて表示するように構成したものであるから、コンクリート型枠に対する＋電極の押し当て角度に関する許容度を有しつつ打設中のコンクリートの充填度合いを精度よく測定し、その欠陥の有無を的確に検出できる。
【００１６】
請求項３、４記載の発明によれば、請求項１記載の発明と同様な構成からなり、且つ、電極間隔を異にする深部測定用及び近傍部測定用の両検出部を把持体の両端に備えた構成で、この両検出部の検出信号から打設中のコンクリートの深部、近傍部の各充填度合いをコンクリート型枠に対する＋電極の押し当て角度に関する許容度を有しつつ各々精度よく測定し、その欠陥の有無を的確に検出できる。また、請求項５記載の発明によれば、把持体の中央部を９０度屈曲した構成として請求項３、４記載の発明と同様な効果を発揮させることができる。
【００１７】
請求項６、７記載の発明によれば、請求項１記載の発明と同様な構成からなり、且つ、電極間隔を異にする深部測定用及び近傍部測定用の両検出部を把持体に二股分岐で備えた構成で、この両検出部の検出信号から打設中のコンクリートの深部、近傍部の各充填度合いをコンクリート型枠に対する＋電極の押し当て角度に関する許容度を有しつつ各々精度よく測定し、その欠陥の有無を的確に検出できる。
【００１８】
請求項８、９記載の発明によれば、請求項１記載の発明と同様からなり、且つ、一個の＋電極と、＋電極との間隔を大小異にする二個の−電極とを備えた検出部を備えた構成で、打設中のコンクリートの深部、近傍部の各充填度合いをコンクリート型枠に対する＋電極の押し当て角度に関する許容度を有しつつ各々精度よく測定し、その欠陥の有無を的確に検出できる。
【００１９】
請求項１０、１１記載の発明によれば、請求項１記載の発明と同様の近傍部測定用の検出部を備えた把持体に対して深部測定用の検出部を装脱可能に配置した構成で、打設中のコンクリートの深部、近傍部の各充填度合いをコンクリート型枠に対する＋電極の押し当て角度に関する許容度を有しつつ各々精度よく測定し、その欠陥の有無を的確に検出できる。
【００２０】
請求項１２、１３記載の発明によれば、＋電極に対して押し当て方向の間隔調整可能に配置した−電極を有する検出部を備える構成で、打設中のコンクリートの深部、近傍部の各充填度合いをコンクリート型枠に対する＋電極の押し当て角度に関する許容度を有しつつ各々精度よく測定し、その欠陥の有無を的確に検出できる。
【００２１】
請求項１４記載の発明によれば、請求項３乃至１３に記載した打設中のコンクリートの欠陥検出・充填度合い測定装置のいずれかを使用して、深部測定用の検出部と近傍部測定用の検出部をコンクリート型枠に押し当ててコンクリートの静電容量を同時または交互に測定し、深部測定用の検出部で得た静電容量から、近傍部測定用の検出部で得た静電容量を差し引いた静電容量値を求め、この静電容量値が予め定めた基準値と比較して小さい場合に充填欠陥が有りと判定するものであるから、請求項３乃至１３に記載した打設中のコンクリートの欠陥検出・充填度合い測定装置のいずれかを使用して打設中のコンクリートの充填欠陥を容易に検出することが可能となる。
【発明を実施するための最良の形態】
【００２２】
本発明は、コンクリート型枠に対する電極の押し当て角度に関する許容度が有り、且つ、測定深度を変更しての測定も可能な打設中のコンクリートの欠陥検出・充填度合い測定装置を提供するという目的を、打設中のコンクリートの静電容量をコンクリート型枠の外側から測定し、打設中のコンクリートの欠陥の有無を検出する打設中のコンクリートの欠陥検出・充填度合い測定装置であって、コンクリート型枠への押し当て面を曲面とした＋電極と、この＋電極を一方の端面中間部に配置した円筒状の絶縁体の他方の端面に、前記＋電極と対向配置した−電極とを有する深部測定用の検出部と、コンクリート型枠への押し当て面を曲面とした＋電極と、この＋電極を一方の端面中間部に配置した円筒状の絶縁体の他方の端面に、前記＋電極と対向配置した−電極とを有し、前記＋電極、−電極間の間隔を深部測定用の検出部よりも小とした近傍部測定用の検出部とを把持体の両端に備えるとともに、前記深部測定用の検出部の検出信号から前記＋電極、−電極間の静電容量を求める深部測定回路と、近傍部測定用の検出部の検出信号から前記＋電極、−電極間の静電容量を求める近傍部測定回路と、前記深部測定回路、近傍部測定回路の各測定信号を切り替え方式で演算し、前記打設中のコンクリートの深部、近傍部の充填度合いの適否を判定する演算回路と、演算回路の演算結果を表示する表示部とを有する構成により実現した。
【実施例】
【００２３】
以下に、本発明の実施例を詳細に説明する。
（実施例１）
図１乃至図７を参照して本発明の実施例１の打設中のコンクリートの欠陥検出・充填度合い測定装置について説明する。
【００２４】
まず、図１乃至図３を参照して本発明の原理的説明を行う。
図１、図２に示すように、打設中のコンクリートの欠陥検出・充填度合い測定装置（以下、「欠陥検出・充填度合い測定装置」という）１の検出部２を、円筒状の絶縁体（寸法ｄ）５の一端に端面を曲面状とした＋電極３を、他端に−電極４を配置した構造とするとき、＋電極３、−電極４間の電界は、例えば木板等からなるコンクリート型枠９を介在して存する測定対象物である打設中のコンクリート１０を介して分布するため、その誘電率は＋電極３、−電極４間の電気静電容量に大きく影響を与える。
なお、図１は床躯体を構成する場合の欠陥検出・充填度合い測定装置１とコンクリート型枠９の配置を示すが、この他欠陥検出・充填度合い測定装置１とコンクリート型枠９との位置関係は、コンクリート打設部分のコンクリート型枠９の配置角度に応じて種々の態様となることはいうまでもない。
【００２５】
打設中のコンクリート１０の誘電率は水分に依存するため、＋電極３、−電極４間の電気静電容量を測定することによって当該打設中のコンクリート１０の水分検出、コンクリート充填量検出、欠陥判定が可能となる。
【００２６】
前記検出部２において、＋電極３の絶縁体５の一端からの突出寸法ｃに比べて、コンクリート型枠９の表面の凹凸が小さければ、＋電極３はコンクリート型枠９の表面から浮くことが無く測定面への接触が確実に保たれ、これにより安定した水分測定、コンクリート充填量測定が可能となる。
【００２７】
また、検出部２の鉛直方向の偏差ｅについて考察すると、検出部２が鉛直方向から傾いたとき、＋電極３の水平面からの傾き角ｅ'（図５参照）が、比較的小さな角度（１度、２度等）であれば、傾き角ｅ'の水分、コンクリート充填量の測定値への影響は図３に示すとおり０度乃至２度の範囲でほぼ無視できる程度である。
この傾き角ｅ'、すなわち前記偏差ｅは、測定面に対して略垂直（略９０度）として測定者が大雑把に判断してもこの程度の角度範囲に収まるものである。
更に、絶縁体５の周縁部５ａがコンクリート型枠９に当たると、測定者の感覚でそのことが判定でき、傾きすぎたことが分かる。
【００２８】
これらのことから、打設中のコンクリート１０の水分測定、コンクリート充填量測定の際に、＋電極３の押し当て角度が測定値の許容誤差を超えるほど大きく傾くことは、通常の測定者の注意力があれば避けられる。但し、許容される測定誤差によって許容できる押し当て角度が変わる。許容誤差が大きければこれにしたがって押し当て角度を大きくしてもよいことに留意する必要が有る。
【００２９】
次に、図４、図５を参照して、本実施例１の検出部２の具体的構成例及び傾き角ｅ'について説明する。
図４に示す欠陥検出・充填度合い測定装置１の検出部２は、円柱状で段付きの絶縁体５の一端に、中間部の厚さ２ｍｍ程度、端面を直径Ｒ＝２５ｍｍの曲面状とした小径円板状の＋電極３を配置し、絶縁体５の他端に円板状の−電極４を配置した構造としている。
【００３０】
前記＋電極３と−電極４とは、絶縁体５の中間部に貫通状態で設けた貫通孔６内に配置した連結部材１１により絶縁状態で、且つ、一体的に連結している。すなわち、前記連結部材１１は、＋電極３に固着した下部連結受部１２と、−電極４の中間部を嵌装するためのネジ部１５を突設した上部連結受部１３とを、貫通孔６内に配置した連結棒１４により連結し、更にネジ部１５に−電極４の中間部を嵌装し、平形ワッシャ１６、スプリングワッシャ１７をネジ部１５の回りに嵌装し、ナット１８により締め付けることで、前記＋電極３と−電極４とを絶縁体５を挟んで対向するように固定配置している。
【００３１】
前記下部連結受部１２、連結棒１４、上部連結受部１３は、合成樹脂等の絶縁材料により形成している。
なお、図４において、５ｂは絶縁体５に設けた−電極４受用の突部である。
【００３２】
図４に示す欠陥検出・充填度合い測定装置１の検出部２において、＋電極３の絶縁体５の一端からの突出寸法ｃを、例えば１ｍｍ、＋電極３の側面における曲面が始まる部分からコンクリート型枠９の表面までの寸法を０．５０５ｍｍに設定し、これにより、図５に示すように、この検出部２をその周縁部５ａがコンクリート型枠９に接するように傾けた場合、傾き角ｅ'＝２．４３８°、検出部２とコンクリート型枠９の表面との最大離隔寸法は２．０８５ｍｍとなるように設定している。
【００３３】
次に、図６、図７を参照して、本実施例１の欠陥検出・充填度合い測定装置１の具体的構成例について説明する。
本実施例１の欠陥検出・充填度合い測定装置１は、絶縁材料により形成した把持用の小径筒部２１と、図４に示す検出部２を取り付けるための大径筒部２２とを連設した段付き筒形状の把持体２０を具備し、大径筒部２２の開口側から、前記検出部２の絶縁体５の外周との間にＯリング２３を介在しつつ絶縁体５の−電極側の部分を嵌着し、前記開口内部に−電極４を内装するように構成している。
【００３４】
また、前記開口内部の−電極４に対して、スペーサ部２５を介して、測定回路（例えば高周波ブリッジ回路等）２７、演算回路２８等を搭載した配線基板２６を取り付けている。更に、前記小径筒部２１の内部には、例えば単１型又は単２型等からなる２個の乾電池２９を直列接続した電池部３０を収納している。
【００３５】
図７は本実施例１の欠陥検出・充填度合い測定装置１の回路系を示すものであり、前記＋電極３、−電極４を測定回路２７に接続して＋電極３、−電極４間の静電容量を測定し、測定回路２７の測定値を演算回路２８により演算して打設中のコンクリート１０の充填度合いを求め、更に予め設定した打設中のコンクリート１０に関する水分基準値、コンクリート充填量基準値のデータを水分基準値メモリ（コンクリート充填量基準値メモリ）３３から読み出し、求めた前記充填度合いと比較し、打設中のコンクリート１０の水分、コンクリート充填量の適否を判定して、液晶ディスプレイ等で構成した表示部３１により前記充填度合い、適否の判定結果（例えば、充填過少、充填少、充填適等）を表示するように構成している。なお、図６においては表示部３１の図示を省略している。
【００３６】
また、前記演算回路２８においては、前記測定回路２７からの出力値と、充填度合いと、水分基準値、コンクリート充填量基準値との関係をプラグラムしておき、上述した演算処理を行うものである。図６において、３２は曲面状に形成した端部材である。
【００３７】
本実施例１の欠陥検出・充填度合い測定装置１によれば、絶縁体５の一端に端面を曲面状とした＋電極３を、他端に−電極４を配置した構成の検出部２を用い、この検出部２を＋電極３をコンクリート型枠９に押し当てることによって、欠陥検出・充填度合い測定装置１が鉛直方向から傾いた場合でもその傾き角ｅ'が小さい状態で打設中のコンクリート１０の充填度合いを精度よく測定し、欠陥の有無を的確に検出することができる。
【００３８】
（実施例２）
次に、図８、図９を参照して本発明の実施例２について説明する。
本実施例２の欠陥検出・充填度合い測定装置１Ａは、図８、図９に示すように、単一の筒形状の把持体４１の両端に、打設中のコンクリート１０の深部測定用の検出部４２Ａと、近傍部測定用の検出部４２Ｂとを取り付けたことが特徴である。
ここで、深部とは、＋電極３から打設中のコンクリート１０の深さ方向への距離が比較的大きい場合を意味し、近傍部とは、＋電極３から打設中のコンクリート１０の深さ方向への距離が比較的小さい場合を意味するものとして以下の説明を行う。
前記検出部４２Ａ、検出部４２Ｂは、図４に示す検出部２と同様な構成とし、＋電極３、−電極４（図８において点線で示す）間の間隔及び絶縁体５の厚さを検出部４２Ａでは大きく、検出部４２Ｂでは小さくしている。
【００３９】
また、本実施例２の欠陥検出・充填度合い測定装置１Ａにおいては、図９に示すように、前記検出部４２Ａの＋電極３、−電極４を深部測定回路４３に接続して＋電極３、−電極４間の静電容量を測定し、深部測定回路４３の測定値を切替部４５ａの切り替えにより演算回路４５に入力し、演算回路４５により演算して打設中のコンクリート１０の深部の充填度合いを求め、更に予め設定した打設中のコンクリート１０に関する水分基準値、コンクリート充填量基準値のデータを水分基準値メモリ（コンクリート充填量基準値メモリ）４７から読み出し、求めた前記充填度合いと比較し、打設中のコンクリート１０の水分、コンクリート充填量の適否を判定して、液晶ディスプレイ等で構成した表示部４６により前記充填度合い、適否の判定結果（例えば、充填過少、充填少、充填適等）を表示するように構成している。
【００４０】
また、前記検出部４２Ｂの＋電極３、−電極４を近傍部測定回路４４に接続して＋電極３、−電極４間の静電容量を測定し、近傍部測定回路４４の測定値を切替部４５ａの切り替えにより演算回路４５に入力し、演算回路４５により演算して打設中のコンクリート１０の近傍部の充填度合いを求め、更に予め設定した打設中のコンクリート１０に関する水分基準値、コンクリート充填量基準値のデータを水分基準値メモリ（コンクリート充填量基準値メモリ）４７から読み出し、求めた前記充填度合いと比較し、打設中のコンクリート１０の水分、コンクリート充填量の適否を判定して、液晶ディスプレイ等で構成した表示部４６により前記充填度合い、適否の判定結果（例えば、充填過少、充填少、充填適等）を表示するように構成している。
【００４１】
本実施例２の欠陥検出・充填度合い測定装置１Ａによれば、単一の筒形状の把持体４１の両端に、打設中のコンクリート１０の深部測定用の検出部４２Ａと、近傍部測定用の検出部４２Ｂとを備えているため、深部測定用の検出部４２Ａの＋電極３をコンクリート型枠９に押し当てた状態の深部の水分測定（コンクリート充填量測定）及び欠陥検出と、把持体４１を持ち替え近傍部測定用の検出部４２Ｂの＋電極３をコンクリート型枠９に押し当てた状態の近傍部の水分測定（コンクリート充填量測定）及び欠陥検出とを、一台の欠陥検出・充填度合い測定装置１Ａにより選択的に、且つ、簡略に行うことができる。
【００４２】
この場合、深部測定用の検出部４２Ａを使用した場合の測定値をＡ、近傍部測定用の検出部４２Ｂの測定値をＢとすると、Ａ−Ｂが深い部分、Ｂが浅い部分の充填度合いに対応する。但し、これは１例であり、他の演算を採用したほうがより高精度となることがあり、打設中のコンクリート１０の測定水分領域、測定コンクリート充填量領域、材料組成等に応じて異なるものである。
【００４３】
図１０は、本実施例２の欠陥検出・充填度合い測定装置１Ａの変形例である欠陥検出・充填度合い測定装置１Ａ’を示すものであり、前記欠陥検出・充填度合い測定装置１Ａと基本的構成は同様であるが、把持体４１の中央部を９０度屈曲した形状として、深部測定用の検出部４２Ａの＋電極３をコンクリート型枠９に押し当てた状態の深部の水分測定、コンクリート充填量測定及び欠陥検出と、把持体４１を持ち替え近傍部測定用の検出部４２Ｂの＋電極３をコンクリート型枠９に押し当てた状態の近傍部の水分測定、コンクリート充填量測定及び欠陥検出とを、前記欠陥検出・充填度合い測定装置１Ａの場合と同様にして選択的に、且つ、簡略に行うことができる。
【００４４】
図１１は本発明の実施例２の他の変形例を示すものであり、この変形例の欠陥検出・充填度合い測定装置１Ｂにおいては、把持部５１から二股分岐した検出部保持部５３Ａ、５３Ｂに、各々打設中のコンクリート１０の深部測定用の検出部４２Ａと、近傍部測定用の検出部４２Ｂとを取り付けたことが特徴である。
【００４５】
前記検出部４２Ａ、検出部４２Ｂは、図４に示す前記検出部２と同様な構成とし、＋電極３、−電極４（図１１において点線で示す）間の間隔及び絶縁体５の厚さを検出部４２Ａでは大きく、検出部４２Ｂでは小さくしている。
【００４６】
この変形例の欠陥検出・充填度合い測定装置１Ｂにおいては、図９に示す場合と同様な回路系を採用するとともに、深部測定用の検出部４２Ａの＋電極３をコンクリート型枠９に押し当てた状態の深部の水分測定時、コンクリート充填量測定時と、近傍部測定用の検出部４２Ｂの＋電極３をコンクリート型枠９に押し立てた状態の近傍部の水分測定時、コンクリート充填量測定時とで演算回路４５を切り替え動作させるように構成している。
【００４７】
この変形例の欠陥検出・充填度合い測定装置１Ｂによれば、二股分岐の構成からなる一台の欠陥検出・充填度合い測定装置１Ｂで、深部測定用の検出部４２Ａの＋電極３をコンクリート型枠９に押し当てた状態の深部の水分測定、コンクリート充填量測定と、近傍部測定用の検出部４２Ｂの＋電極３をコンクリート型枠９に押し立てた状態の近傍部の水分測定、コンクリート充填量測定とを切り替えて行うことができる。
【００４８】
（実施例３）
次に、図１２、図１３を参照して本発明の実施例３の検出部５５について説明する。本実施例３の検出部５５は、絶縁体５の一端に＋電極３を、他端に−電極４を配置するとともに、絶縁体５の内部に−電極４と平行配置に−電極４を配置した２個の−電極４、４ａを有する構成としたことが特徴である。
すなわち、＋電極３と−電極４とを使用して打設中のコンクリート１０の深部の水分測定、コンクリート充填量測定を、＋電極３と−電極４ａとを使用して打設中のコンクリート１０の近傍部の水分測定、コンクリート充填量測定を切り替え式で行うように構成している。
【００４９】
本実施例３の検出部５５を含む欠陥検出・充填度合い測定装置１Ｃの回路系を図１３に示す。この回路系は、前記検出部５５の＋電極３、−電極４を深部測定回路４３に接続して＋電極３、−電極４間の静電容量を測定し、深部測定回路４３の測定値を切替部４５ａにより切り替えて演算回路４５Ａに送り、演算回路４５Ａにより演算して打設中のコンクリート１０の深部の充填度合いを求め、また、前記検出部５５の＋電極３、−電極４ａを近傍部測定回路４４に接続して＋電極３、−電極４ａ間の静電容量を測定し、深部測定回路４３、近傍部測定回路４４の測定値を切替部４５ａにより切り替えて演算回路４５Ａに送り、この演算回路４５Ａより演算して打設中のコンクリート１０の深部、近傍部の各充填度合いを求め、更に予め設定した打設中のコンクリート１０に関する水分基準値、コンクリート充填量基準値のデータを水分基準値メモリ（コンクリート充填量基準値メモリ）４７から読み出し、求めた深部、近傍部の各充填度合いと比較し、打設中のコンクリート１０の深部、近傍部の各水分、コンクリート充填量の適否を判定して、液晶ディスプレイ等で構成した表示部４６により前記充填度合い、適否の判定結果（例えば、水分少、水分適、水分過等）を表示するように構成している。
【００５０】
本実施例３の欠陥検出・充填度合い測定装置１Ｃによれば、１個の＋電極３と、２個の−電極４、４ａとを有する検出部５５を備えているので、簡略な構成からなる一台の欠陥検出・充填度合い測定装置１Ｃにより打設中のコンクリート１０の深部の水分測定、コンクリート充填量測定及び欠陥検出と、近傍部の水分測定、コンクリート充填量測定及び欠陥検出とを切り替えて行うことができる。
【００５１】
（実施例４）
次に、図１４乃至図１６を参照して本発明の実施例４の欠陥検出・充填度合い測定装置１Ｄについて説明する。
本実施例４の欠陥検出・充填度合い測定装置１Ｄは、図６に示す実施例１の打設中のコンクリートの欠陥検出・充填度合い測定装置１と基本的構成は同様であるが、筒形状の把持体６１の一端に、近傍部測定用の＋電極３ａを端面に有し内部に−電極４を内蔵した近傍部測定部６２を設けるとともに、この近傍部測定部６２に対して深部測定用の＋電極３を端面に有する深部測定部６３をアタッチメント式で脱着可能に備えたことが特徴である。
【００５２】
このような構成により、前記−電極４は、＋電極３、＋電極３ａに対して共通な−電極として作用し、深部測定部６３を装着した状態では、図１５に示すように、電極間隔が大きい前記＋電極３と−電極４との間の静電容量を測定して打設中のコンクリート１０の深部の水分、コンクリート充填量を求め、深部測定部６３を外した状態では、図１６に示すように、電極間隔が小さい前記＋電極３ａと−電極４との間の静電容量を測定して打設中のコンクリート１０の近傍部の水分、コンクリート充填量を求めるようになっている。また、本実施例４の欠陥検出・充填度合い測定装置１Ｄは、図１３に示す場合と同様な切り替え式の回路系を採用している。
【００５３】
本実施例４の欠陥検出・充填度合い測定装置１Ｄによれば、この打設中のコンクリートの欠陥検出・充填度合い測定装置１Ｄの本体に対して、深部測定部６３をアタッチメント式で脱着可能に備えているので、簡略な構成からなる一台の欠陥検出・充填度合い測定装置１Ｃにより打設中のコンクリート１０の近傍部の水分測定、コンクリート充填量測定及び欠陥検出と、深部の水分測定、コンクリート充填量測定及び欠陥検出とを簡略に切り替えて行うことができる。
【００５４】
（実施例５）
次に、図１７、図１８を参照して本発明の実施例５の欠陥検出・充填度合い測定装置の電極構造について説明する。本実施例５においては、検出部７２の＋電極３−、電極４間の間隔を変動式にしたことが特徴である。
すなわち、本実施例５の検出部７２は、絶縁材からなる筒状カバー体７３の端面中間部に＋電極３を配置するとともに、筒状カバー体７３の中間部にガイド体７４を鉛直方向に立設し、ガイド体７４により−電極４を取り付けた絶縁体５を鉛直方向にスライド可能に支持したものである。
【００５５】
本実施例５の検出部７２を採用した欠陥検出・充填度合い測定装置によれば、一台の欠陥検出・充填度合い測定装置によって図１７に示すように、−電極４を上方にスライドして前記＋電極３と−電極４との間の電極間隔を大きくして打設中のコンクリート１０の深部の水分、コンクリート充填量を求め欠陥を検出したり、図１８に示すように、−電極４を下方にスライドして前記＋電極３ａと−電極４との間の電極間隔を小さくして打設中のコンクリート１０の近傍部の水分、コンクリート充填量を求め欠陥を検出したりすることができる。
【００５６】
次に、上述した欠陥検出・充填度合い測定装置１Ａ乃至１Ｄ又は図１７、図１８に示す構成を有する装置のいずれかを用いた打設中のコンクリート１０の欠陥検出・充填度合い測定装置方法について説明する。
【００５７】
この欠陥検出方法は、例えば前記欠陥検出・充填度合い測定装置１Ａを用いる場合、深部測定用の検出部４２Ａと、近傍部測定用の検出部４２Ｂをコンクリート型枠９に押し当ててコンクリートの静電容量を同時に（または交互に）測定し、深部測定用の検出部４２Ａで得た静電容量から、近傍部測定用の検出部４２Ｂで得た静電容量を予め定めた近似式で補正した静電容量をもって差し引いた値で求められる水分量、コンクリート充填量を求め、この水分量、コンクリート充填量が予め定めた基準値と比較して小さい場合に、打設中のコンクリート１０の充填欠陥が有りと判定するものである。前記欠陥検出・充填度合い測定装置１Ａ’、１Ｂ、１Ｃ、１Ｄ又は図１７、図１８に示す構成を有する欠陥検出・充填度合い測定装置を用いる場合も同様である。
【００５８】
このような欠陥検出方法によれば、一台の欠陥検出・充填度合い測定装置（前記欠陥検出・充填度合い測定装置１Ａ乃至１Ｄ又は図１７、図１８に示す構成を有する欠陥検出・充填度合い測定装置のいずれか）を用いて、打設中のコンクリート１０の充填欠陥を容易に検出することが可能となる。
【００５９】
次に、図１９、図２０を参照して、例えば前記欠陥検出・充填度合い測定装置１Ａを用いて打設中のコンクリート１０を測定した場合の具体例について説明する。図１９は前記検出部４２Ｂの測定値を横軸に、残差（検出部４２Ａと検出部４２Ｂの測定結果を回帰分析したもの）を縦軸にとって示すコンクリート及び（空隙＋ジャンカ）についての回帰分析図であり、また、図２０は回帰分析結果を基に作成した判別結果であるコンクリート及び（空隙＋ジャンカ）についての判別点数と度数との関係を示す棒グラフである。
【００６０】
このようなコンクリート及び（空隙＋ジャンカ）についての回帰分析、判別点数と度数の関係を得ることにより、打設中のコンクリートの状況を的確に把握することができる。
【産業上の利用可能性】
【００６１】
本発明は、上述した打設中のコンクリートの欠陥検出に適用する他、各種土木工事現場の地盤、壁面の水分測定、コンクリート充填量測定及び欠陥検出、穀粉等の水分測定等に幅広く適用可能である。
【図面の簡単な説明】
【００６２】
【図１】本発明の実施例１の欠陥検出・充填度合い測定装置の測定部の構成を示す説明図である。
【図２】本実施例１の欠陥検出・充填度合い測定装置の測定部の＋電極側から見た平面図である。
【図３】本実施例１の欠陥検出・充填度合い測定装置の傾き角と水分、コンクリート充填量との相関を示す表である。
【図４】本実施例の欠陥検出・充填度合い測定装置における測定部の具体的構成例を示す概略断面図である。
【図５】本実施例１の欠陥検出・充填度合い測定装置における測定部を傾けた状態を示す概略図である。
【図６】本実施例１の欠陥検出・充填度合い測定装置の具体的構成例を示す概略断面図である。
【図７】本実施例１の欠陥検出・充填度合い測定装置の回路系を示すブロック図である。
【図８】本発明の実施例２の欠陥検出・充填度合い測定装置の正面図である。
【図９】本実施例２の欠陥検出・充填度合い測定装置の回路系を示すブロック図である。
【図１０】本発明の実施例２の欠陥検出・充填度合い測定装置の変形例を示す正面図である。
【図１１】本実施例２の欠陥検出・充填度合い測定装置の他の変形例を示す正面図である。
【図１２】本発明の実施例３の測定部を示す断面図である。
【図１３】本実施例３の回路系を示すブロック図である。
【図１４】本発明の実施例４の欠陥検出・充填度合い測定装置の正面図である。
【図１５】本実施例４の測定部を示す正面図である。
【図１６】本実施例４の近傍部測定用の測定部を示す正面図である。
【図１７】本発明の実施例５における測定部（深部測定時）を示す断面図である。
【図１８】本実施例５の測定部（近傍部測定時）を示す断面図である。
【図１９】本発明の実施例１の欠陥検出・充填度合い測定装置を用いて測定した測定値に基づくコンクリート及び（空隙＋ジャンカ）についての回帰分析図である。
【図２０】図１９に示す回帰分析結果を基に作成したコンクリート及び（空隙＋ジャンカ）についての判別点数と度数との関係を示す棒グラフである。
【図２１】従来の水分計における測定部を示す正面図である。
【図２２】従来の水分計における測定部を示す底面図である。
【図２３】従来の水分計における測定部を木材の木目と平行配置した状態を示す説明図である。
【図２４】従来の水分計における測定部を木材の木目と直角配置した状態を示す説明図である。
【符号の説明】
【００６３】
１    欠陥検出・充填度合い測定装置
１Ａ  欠陥検出・充填度合い測定装置
１Ａ’欠陥検出・充填度合い測定装置
１Ｂ  欠陥検出・充填度合い測定装置
１Ｃ  欠陥検出・充填度合い測定装置
１Ｄ  欠陥検出・充填度合い測定装置
２    検出部
３    ＋電極
３ａ  ＋電極
４    −電極
４ａ  −電極
５    絶縁体
５ａ  周縁部
６    貫通孔
９    コンクリート型枠
１０    打設中のコンクリート
１１    連結部材
１２    下部連結受部
１３    上部連結受部
１４    連結棒
１５    ネジ部
１６    平形ワッシャ
１７    スプリングワッシャ
１８    ナット
２０    把持体
２１    小径筒部
２２    大径筒部
２３    Ｏリング
２５    スペーサ部
２６    配線基板
２７    測定回路
２８    演算回路
２９    乾電池
３０    電池部
３１    表示部
３２    端部材
３３    水分基準値メモリ（コンクリート充填量基準値メモリ）
４１    把持体
４２Ａ  検出部
４２Ｂ  検出部
４３    深部測定回路
４４    近傍部測定回路
４５    演算回路
４５Ａ  演算回路
４５ａ  切替部
４６    表示部
４７    水分基準値メモリ（コンクリート充填量基準値メモリ）
５１    把持部
５３Ａ  検出部保持部
５３Ｂ  検出部保持部
５５    検出部
６１    把持体
６２    近傍部測定部
６３    深部測定部
７２    検出部
７３    筒状カバー体
７４    ガイド体
【図１】
0004827239.tif 000002
【図２】
0004827239.tif 000003
【図３】
0004827239.tif 000004
【図４】
0004827239.tif 000005
【図５】
0004827239.tif 000006
【図６】
0004827239.tif 000007
【図７】
0004827239.tif 000008
【図８】
0004827239.tif 000009
【図９】
0004827239.tif 000010
【図１０】
0004827239.tif 000011
【図１１】
0004827239.tif 000012
【図１２】
0004827239.tif 000013
【図１３】
0004827239.tif 000014
【図１４】
0004827239.tif 000015
【図１５】
0004827239.tif 000016
【図１６】
0004827239.tif 000017
【図１７】
0004827239.tif 000018
【図１８】
0004827239.tif 000019
【図２１】
0004827239.tif 000020
【図２２】
0004827239.tif 000021
【図２３】
0004827239.tif 000022
【図２４】
0004827239.tif 000023
【図１９】
0004827239.tif 000024
【図２０】
0004827239.tif 000025